(57)【要約】【課題】部品の締結を解除され難くすること。【解決手段】部品締結構造は、カバー本体１１を有するとともに各延長部１３，１４とこれらを繋ぐ繋部１５とからなるラッチ部１２を有するカバー部材１０と、ラッチ部１２との機械的な結合をなすフック部２５を有するハウジング２０とを備え、ラッチ部１２とフック部２５とが機械的に結合された状態でカバー部材１０及びハウジング２０を締結する。ハウジング２０には、カバー部材１０及びハウジング２０が締結された状態でフック部２５から各延長部１３，１４を挟んだ反対側に各延長部１３，１４に沿って延びる各当り防止壁２３，２４が各延長部１３，１４のそれぞれに対して併設されている。そして、各当り防止壁２３，２４は、カバー部材１０及びハウジング２０が締結された状態で当該カバー部材１０のカバー本体１１から繋部１５に向かうほど併設されている各延長部１３，１４に対して離間するように延びている。【選択図】図２
2017078463.tif 000002
【特許請求の範囲】
【請求項１】
本体を有するとともに前記本体から延びる第１の延長部及び第２の延長部とこれらを繋ぐ繋部とからなるラッチ部を有する第１の部品と、前記ラッチ部との機械的な結合をなすフック部を有する第２の部品とを備え、前記ラッチ部と前記フック部とが機械的に結合された状態で前記第１の部品及び前記第２の部品を締結する部品締結構造において、
前記第２の部品には、前記第１の部品及び前記第２の部品が締結された状態で前記フック部から前記延長部を挟んだ反対側において当該延長部に沿って延びる壁部が前記第１の延長部及び前記第２の延長部のそれぞれに対して併設されており、
前記壁部の少なくとも一つは、前記第１の部品及び前記第２の部品が締結された状態で当該第１の部品の前記本体から前記繋部に向かうほど併設されている前記延長部に対して離間するように延びる傾斜壁部である
ことを特徴とする部品締結構造。
【請求項２】
前記第１の延長部及び前記第２の延長部のそれぞれに対して併設される各壁部は、いずれも前記傾斜壁部である請求項１に記載の部品締結構造。
【請求項３】
前記傾斜壁部は、直線状に延びている請求項１又は請求項２に記載の部品締結構造。
【請求項４】
請求項１〜請求項３のうちいずれか一項に記載の部品締結構造を有し、
モータと、前記モータの回転動作を制御するモータコントローラとを前記部品締結構造によって締結される前記第１の部品及び前記第２の部品の内部に収容してユニット化したことを特徴とするモータユニット。
【発明の詳細な説明】
【技術分野】
【０００１】
本発明は、部品締結構造及びモータユニットに関する。
【背景技術】
【０００２】
モータに対してモータの回転動作を制御する制御基板等をユニット化したモータユニットとして、例えば、特許文献１に記載のものがある。特許文献１において、モータの回転動作を制御する制御基板等は、一方に開口する開口部を有するカバー部材の内部に収容されてコントロールユニットとしてさらにユニット化されている。こうしたカバー部材は、ねじを用いた部品締結構造によりヒートシンクに締結されている。
【先行技術文献】
【特許文献】
【０００３】
【特許文献１】特開２０１４−１３１４６３号公報
【発明の概要】
【発明が解決しようとする課題】
【０００４】
ところで、近年では、ねじを用いない部品締結構造として、例えば、ラッチ部とフック部との機械的な結合を利用する、所謂、スナップフィットを採用するようにしたものもある。ただし、こうしたスナップフィットを採用する部品締結構造では、部品の締結中に生じる振動や衝撃によってラッチ部とフック部とがぶつかり合う等して、特にラッチ部が割れてしまう可能性がある。この場合、部品の締結が合わせて解除されてしまう可能性がある。
【０００５】
本発明は、このような実情に鑑みてなされたものであり、その目的は、部品の締結が解除され難い部品締結構造及びモータユニットを提供することにある。
【課題を解決するための手段】
【０００６】
上記課題を解決する部品締結構造は、本体を有するとともに当該本体から延びる第１の延長部及び第２の延長部とこれらを繋ぐ繋部とからなるラッチ部を有する第１の部品と、ラッチ部との機械的な結合をなすフック部を有する第２の部品とを備え、ラッチ部とフック部とが機械的に結合された状態で第１の部品及び第２の部品を締結するものである。そして、上記部品締結構造において、第２の部品には、第１の部品及び第２の部品が締結された状態でフック部から延長部を挟んだ反対側において当該延長部に沿って延びる壁部が第１の延長部及び第２の延長部のそれぞれに対して併設されており、壁部の少なくとも一つは、第１の部品及び第２の部品が締結された状態で当該第１の部品の本体から繋部に向かうほど併設されている延長部に対して離間するように延びる傾斜壁部である。
【０００７】
ここで、ラッチ部において、第１の部品及び第２の部品の締結が解除される、すなわち第１の部品及び第２の部品を分離させる方向（以下、「部品分離方向」という）に力が加わる場合にフック部が当接する部位である繋部は、第１の部品及び第２の部品の締結中において作用する応力が集中する部位である。そして、例えば、第１の部品及び第２の部品が締結された状態において、振動や衝撃が生じることによってラッチ部とフック部とがぶつかり合う等して、特に応力が集中する繋部に割れが生じてラッチ部が割れてしまうことが考えられる。この場合、第１の部品に部品分離方向に力が加わると、これによる応力がフック部を介して繋部（ラッチ部）に作用する。
【０００８】
その点、上記構成によれば、ラッチ部では、傾斜壁部と延長部との間の領域と、フック部を介して繋部に作用する応力とを利用して傾斜壁部が併設される延長部を当該傾斜壁部に寄るように変形させることができる。この場合、割れてしまった後の繋部は、延長部を変形させる点で好適に機能するようになる。このようにして繋部によって傾斜壁部に寄るように変形させられた延長部を含む各延長部は、部品分離方向に力が加わると、傾斜壁部を含む各壁部に引っ掛かり、ラッチ部（第１の部品）の抜け止めとして機能する。したがって、ラッチ部が割れてしまった後であっても、部品の締結を解除され難くすることができる。
【０００９】
上記部品締結構造において、第１の延長部及び第２の延長部のそれぞれに対して併設される各壁部は、いずれも傾斜壁部であることが望ましい。
上記構成によれば、上述のように繋部に割れが生じてラッチ部が割れてしまう場合、第１の延長部と第２の延長部とをそれぞれ傾斜壁部に寄るように変形させることができる。このようにして繋部によって傾斜壁部に寄るように変形させられた各延長部は、部品分離方向に力が加わると、各傾斜壁部にそれぞれ引っ掛かり、ラッチ部の抜け止めとしてより好適に機能するようになる。これにより、ラッチ部が割れてしまった後であっても、部品の締結をより好適に解除され難くすることができる。
【００１０】
また、上記部品締結構造において、傾斜壁部は、直線状に延びていることが望ましい。
上記構成によれば、延長部は、併設されている傾斜壁に当接した状態で引っ掛かる。これにより、延長部が傾斜壁に引っ掛かる場合、ラッチ部の抜け止めに作用する力を好適に確保することができる。
【００１１】
そして、こうした部品締結構造は、具体的に、モータと、モータの回転動作を制御するモータコントローラとを上記部品締結構造によって締結される第１の部品及び第２の部品の内部に収容してユニット化したモータユニットに採用されることが望ましい。
【００１２】
上記構成によれば、上述のように繋部に割れが生じてラッチ部が割れてしまう場合、ラッチ部が割れてしまった後であっても、部品の締結を解除され難くすることができる。したがって、モータユニットの信頼性の向上を図ることができる。
【発明の効果】
【００１３】
本発明によれば、部品の締結を解除され難くすることができる。
【図面の簡単な説明】
【００１４】
【図１】部品締結構造についてハウジングに締結されるカバー部材を示す正面図。
【図２】部品締結構造についてラッチ部とフック部とが機械的に結合した状態を示す拡大図。
【図３】図２のIII-III線断面図。
【図４】（ａ）〜（ｃ）は、部品締結構造についてカバー部材のラッチ部が割れた場合の態様を示す拡大図。
【図５】変形例における部品締結構造についてカバー部材のラッチ部を示す拡大図。
【図６】変形例における部品締結構造についてハウジングのフック部を示す拡大図。
【発明を実施するための形態】
【００１５】
以下、部品締結構造及びモータユニットの一実施形態を説明する。
図１に示すように、本実施形態の部品締結構造は、例えば、一方に開口する第１の部品としてのカバー部材１０と、一方に開口する第２の部品としてのハウジング２０とを備えるモータユニットに採用される。モータユニットは、モータ軸３１を有するモータ３０と、モータ３０の回転動作を制御する制御基板等からなるモータコントローラ４０とをカバー部材１０及びハウジング２０の内部に収容してユニット化したものである。こうした部品締結構造は、カバー部材１０及びハウジング２０のそれぞれの開口を塞ぐように、機械的な結合、所謂、スナップフィットによってカバー部材１０をハウジング２０に固定し、カバー部材１０及びハウジング２０を締結するものである。
【００１６】
ここで、カバー部材１０及びハウジング２０の構成について、詳しく説明する。
図１に示すように、カバー部材１０は、開口部１０ａを有する有底円筒状のカバー本体１１を有する。カバー本体１１は、樹脂により成形されている。カバー本体１１の開口部１０ａの反対側の底側には、電源等の外部装置に接続するためのコネクタ１０ｂが設けられている。カバー本体１１には、開口部１０ａの端部から開口側である外側に延びる複数（本実施形態では４つ）のラッチ部１２が設けられている。複数のラッチ部１２は、開口部１０ａの周方向において等間隔をあけて設けられている。
【００１７】
ラッチ部１２は、開口部１０ａの端部から直線状に延びる２本の延長部１３，１４（第１の延長部、第２の延長部）と、これら２本の延長部１３，１４を繋ぐ繋部１５とを有している。また、ラッチ部１２は、開口部１０ａ、各延長部１３，１４、及び繋部１５によって囲まれてなる掛口１６を有している。
【００１８】
本実施形態のカバー部材１０は、その内部にカバー部材１０をかたどった空洞が形成されてなる金型と、金型の空洞にヒータ機能による熱によって溶解した樹脂を射出する射出器と、射出器の射出圧力を制御する制御部とを備えた射出成形装置によって射出成形（製造）される。射出器から射出された樹脂は、カバー部材１０のコネクタ１０ｂが設けられる上方側から全体に射出充填されていく。
【００１９】
この場合、カバー部材１０の各延長部１３，１４に対応する空洞にそれぞれ樹脂が射出充填されていき、繋部１５に対応する空洞に樹脂が射出充填される過程で、当該繋部１５に孔形状（掛口１６）特有のウェルドライン（溶接線）が形成される。ウェルドラインができる繋部１５は、ラッチ部１２のなかで最弱部位となる。
【００２０】
また、図１に示すように、ハウジング２０は、開口部２０ａを有する有底円筒状のハウジング本体２１を有する。ハウジング本体２１は、アルミ合金等の金属により成形されている。ハウジング本体２１の開口部２０ａの反対側の底側には、モータ３０が発生させるトルクをモータ軸３１を通じて外部に出力するための出力部２０ｂが設けられている。ハウジング本体２１には、開口部２０ａの外縁に複数（本実施形態ではラッチ部１２と同数である４つ）のラッチ収容部２２が設けられている。複数のラッチ収容部２２は、複数のラッチ部１２と対をなすように、開口部２０ａの周方向において等間隔をあけて設けられている。
【００２１】
ラッチ収容部２２は、開口部２０ａの外縁からハウジング本体２１の径方向の外側に突出する壁部としての２つの当り防止壁２３，２４と、開口部２０ａの外縁からハウジング本体２１の径方向の外側に突出する１つのフック部２５とを有している。フック部２５は、各当り防止壁２３，２４の間に配置されている。各当り防止壁２３，２４は、カバー部材１０及びハウジング２０が締結された状態でラッチ部１２が外部と接触することを防止（抑制）する機能を有している。
【００２２】
各当り防止壁２３，２４は、断面視矩形状をなしており、直線状に延びているとともに、ハウジング２０の開口部２０ａから出力部２０ｂに向かうほど互いのハウジング本体２１の周方向における距離が大きくなるハの字状に設けられている。本実施形態では、各当り防止壁２３，２４が傾斜壁部に相当する。フック部２５のハウジング本体２１の周方向の両側には、ラッチ部１２の各延長部１３，１４が一つずつ配置される２つの配置領域２２ａ，２２ｂ（図１中、ドットで示す部位）が設けられている。すなわち、当り防止壁２３は、フック部２５から延長部１３が配置される配置領域２２ａを挟んだ反対側に設けられている。また、当り防止壁２４は、フック部２５から延長部１４が配置される配置領域２２ｂを挟んだ反対側に設けられている。
【００２３】
図１に示すように、カバー部材１０は、カバー部材１０及びハウジング２０の互いの開口部１０ａ，２０ａ側を対向させて同軸上に配置した状態で、互いの開口部１０ａ，２０ａが近付く方向、カバー部材１０で言えばコネクタ１０ｂから開口部１０ａに向かう方向（図１中、上から下方向）の動作を伴ってハウジング２０に対して組み付けられる。こうしたカバー部材１０の各ラッチ部１２は、カバー部材１０がハウジング２０に対して取り付けられる動作の方向と一致する方向の動作を伴って、対となるラッチ収容部２２のフック部２５に結合される。これにより、カバー部材１０及びハウジング２０が締結される。
【００２４】
具体的に、図２及び図３に示すように、ラッチ部１２とフック部２５とが結合された状態では、各当り防止壁２３，２４とフック部２５とに挟まれる各配置領域２２ａ，２２ｂにおいて、各延長部１３，１４がフック部２５を挟み込むように配置され、掛口１６にフック部２５が嵌め込まれている。フック部２５は、各延長部１３，１４と当接するとともに、カバー部材１０のハウジング２０に対する組み付け方向で対向する繋部１５と当接する。
【００２５】
すなわち、ラッチ部１２とフック部２５とが結合された状態において、各当り防止壁２３，２４は、隣接する各配置領域２２ａ，２２ｂに配置される各延長部１３，１４に対して併設されている。また、この場合、各当り防止壁２３，２４は、併設されている各延長部１３，１４に沿って延びるとともに、カバー部材１０から繋部１５に向かうほど併設されている各延長部１３，１４に対して離間するように延びている。これにより、当り防止壁２３及び延長部１３、当り防止壁２４及び延長部１４のそれぞれの間には、カバー部材１０から繋部１５に向かうほど大きく広がる三角状の余剰領域２２ｃ，２２ｄ（隙間）が設けられている。
【００２６】
また、各当り防止壁２３，２４及びフック部２５は、ラッチ部１２（各延長部１３，１４、繋部１５）と比較して、ハウジング２０のハウジング本体２１の径方向の外側に突出するようになっている。これにより、各当り防止壁２３，２４は、カバー部材１０がハウジング２０に固定された状態でラッチ部１２が外部と接触することを防止（抑制）することができる。
【００２７】
以上に説明した本実施形態のカバー固定構造及びモータユニットによれば、以下に示す作用及び効果を奏する。
（１）ここで、ラッチ部１２において、カバー部材１０及びハウジング２０の締結が解除される、すなわちカバー部材１０及びハウジング２０を分離させる部品分離方向（図１中、下から上方向）に力が加わる場合にフック部２５が当接する部位である繋部１５は、カバー部材１０及びハウジング２０の締結中において作用する応力が集中する部位である。
【００２８】
そして、カバー部材１０及びハウジング２０が締結された状態において、振動や衝撃が生じることによってラッチ部１２とフック部２５とがぶつかり合う等して、最弱部位である繋部１５に応力が集中すると、当該繋部１５に割れが生じてラッチ部１２が割れてしまうことが考えられる。この場合、カバー部材１０に部品分離方向に力が加わると、これによる応力がフック部２５を介して繋部１５（ラッチ部１２）に作用する。
【００２９】
その点、本実施形態によれば、ラッチ部１２では、各当り防止壁２３，２４と各延長部１３，１４との間の各余剰領域２２ｃ，２２ｄと、フック部２５を介して繋部１５に作用する応力とを利用して各延長部１３，１４をそれぞれ各当り防止壁２３，２４に寄るように変形させることができる。
【００３０】
例えば、図４（ａ）に示すように、繋部１５の中央において割れが生じる場合、フック部２５を介して作用する応力が割れた後の繋部１５を互いに離間する方向に変形させるように作用する。これにより、各延長部１３，１４は、それぞれに対して併設されている各当り防止壁２３，２４に寄るように変形し、フック部２５によってハウジング本体２１の周方向に押し広げられる。
【００３１】
その後、図４（ｂ）に示すように、各延長部１３，１４は、部品分離方向に力が繰り返し加わると、それぞれに対して併設されている各当り防止壁２３，２４側にさらに大きく変形するようにフック部２５によってハウジング本体２１の周方向にさらに大きく押し広げられる。
【００３２】
そして、図４（ｃ）に示すように、各延長部１３，１４は、フック部２５によってハウジング本体２１の周方向に押し広げられた状態において、それぞれに対して併設されている各当り防止壁２３，２４に対してフック部２５の反対側の部位で当接することとなる。
【００３３】
この場合、割れてしまった後の繋部１５は、各延長部１３，１４を変形させる点で好適に機能するようになる。このようにして繋部１５によって各当り防止壁２３，２４に寄るように変形させられた各延長部１３，１４は、部品分離方向に力が加わると、各当り防止壁２３，２４にそれぞれ当接した状態で引っ掛かり、ラッチ部１２（カバー部材１０）の抜け止めとして機能する。したがって、ラッチ部１２が割れてしまった後であっても、カバー部材１０及びハウジング２０の締結をより好適に解除され難くすることができる。
【００３４】
（２）本実施形態において、各延長部１３，１４は、各当り防止壁２３，２４にそれぞれ当接した状態で引っ掛かる。これにより、各延長部１３，１４が各当り防止壁２３，２４に引っ掛かる場合、ラッチ部１２の抜け止めに作用する力を好適に確保することができる。
【００３５】
（３）モータユニットには、図２に示すような部品締結構造が採用されるようにしている。そのため、上述のように繋部１５に割れが生じてラッチ部１２が割れてしまう場合、ラッチ部１２が割れてしまった後であっても、カバー部材１０及びハウジング２０の締結を解除され難くすることができる。したがって、モータユニットの信頼性の向上を図ることができる。
【００３６】
（４）各当り防止壁２３，２４は、ラッチ部１２が外部と接触することを抑制する機能と、ラッチ部１２の抜け止めとしての機能とを兼ねている。そのため、ラッチ部１２の抜け止めとして機能させる傾斜壁部として専用の構成を追加する場合と比較して、追加すべき構成を最小限に抑えることができ、構成の追加にかかるコストの低減を図ることができる。
【００３７】
（５）本実施形態のように、カバー部材１０が樹脂により成形されている場合、繋部１５が割れない場合であっても経年劣化により繋部１５が伸張やへたる、所謂、クリープ変形を生じる可能性がある。こうした繋部１５のクリープ変形によっては、カバー部材１０及びハウジング２０の締結が解除されてしまう可能性がある。
【００３８】
その点、本実施形態では、繋部１５がクリープ変形をした場合であっても、繋部１５が割れてしまった場合と同様に、各延長部１３，１４を変形させることができる。これにより、各当り防止壁２３，２４にそれぞれ当接した状態で引っ掛かり、繋部１５がクリープ変形をした場合であっても、カバー部材１０及びハウジング２０の締結を解除され難くすることができる。
【００３９】
なお、上記実施形態は、これを適宜変更した以下の形態にて実施することもできる。
・ラッチ部１２及びフック部２５は、互いに機械的な結合が可能であるとともに、ラッチ部１２が割れてしまった場合に各延長部１３，１４をハウジング本体２１の周方向に押し広げることができるように構成されていればよい。例えば、図５に示すように、ラッチ部１２では、掛口１６のうち、各延長部１３，１４及び繋部１５の繋目の角の部位をアール形状（カーブ）にしたアール部１５ａを設けるようにしてもよい。その他、図６に示すように、フック部２５では、繋部１５と当接する側の端面を当該繋部１５側に凸となるアール形状（カーブ）にしたアール部２５ａを設けるようにしてもよい。これにより、ラッチ部１２が割れてしまった後、各延長部１３，１４をより好適に各当り防止壁２３，２４に寄るように変形させることができる。
【００４０】
・カバー部材１０は、圧縮成形等、射出成形以外の方法で成形されていてもよい。この場合、ラッチ部１２では、繋部１５の一部を削る等して、繋部１５が最弱部位となるように構成すればよい。これにより、カバー部材１０が射出成形で成形されていない場合であっても、上記作用及び効果（１）〜（５）を奏することができる。
【００４１】
・上記実施形態では、各当り防止壁２３，２４のいずれも傾斜壁部として実現させたが、各当り防止壁２３，２４とは異なる専用の壁を傾斜壁部として実現させてもよい。
・各当り防止壁２３，２４は、各延長部１３，１４が引っ掛かり可能に構成されていればよく、例えば、曲線状や延びる途中で折れ曲げられた形状であってもよい。その他、各当り防止壁２３，２４は、断面視半円形状や断面視三角形状であってもよい。
【００４２】
・各当り防止壁２３，２４は、少なくともいずれかが傾斜壁部としての機能、すなわちラッチ部１２の抜け止めとしての機能を有していればよい。すなわち、各当り防止壁２３，２４のうち、一方は傾斜壁部として機能するようにカバー部材１０の開口部１０ａから繋部１５に向かうほど併設されている延長部に対して離間するように延びるとともに、他方は併設されている延長部に対して平行に延びるように構成されていてもよい。
【００４３】
・各ラッチ収容部２２は、少なくともいずれかが傾斜壁部としての機能、すなわちラッチ部１２の抜け止めとしての機能を有する各当り防止壁２３，２４を有していればよい。
・上記実施形態は、モータ３０とモータコントローラ４０とを収容するカバー部材１０及びハウジング２０を締結する例について説明したが、これに限らず、他の電子装置や電子機器、又電気的なものに限らず、内部に何か物等を収容する２つの部品を締結する場合にも適用可能である。また、第１の部品や第２の部品は、内部に何かを収容可能でなくてもよく、例えば、互いの機能に関連性のない２つの部品を締結する場合にも適用可能である。
【００４４】
次に、上記実施形態及び別例（変形例）から把握できる技術的思想について以下に追記する。
（イ）２つの壁部は、第１の部品及び第２の部品が締結された状態で当該カバー部材のラッチ部が外部と接触することを抑制する機能を有している。上記構成によれば、傾斜壁部は、ラッチ部が外部と接触することを抑制する機能とを兼ねている。この場合、傾斜壁部として専用の構成を追加する場合と比較して、追加すべき構成を最小限に抑えることができ、構成の追加にかかるコストの低減を図ることができる。
【符号の説明】
【００４５】
１０…カバー部材、１１…カバー本体（本体）、１２…ラッチ部、１３，１４…延長部（第１の延長部、第２の延長部）、１５…繋部、２０…ハウジング、２３，２４…当り防止壁（壁部、傾斜壁部）、２５…フック部、３０…モータ、４０…モータコントローラ。
【図１】
2017078463.tif 000003
【図２】
2017078463.tif 000004
【図３】
2017078463.tif 000005
【図４】
2017078463.tif 000006
【図５】
2017078463.tif 000007
【図６】
2017078463.tif 000008